(57)【要約】      （修正有）【課題】マッサージや温湿布及び冷湿布を行い、胸部の養護と保養の効用が実現される胸部マッサージャーを提供する。【解決手段】胸部マッサージャーは、ブラジャー本体１とマッサージ機関２及び操作施設３が含まれる。ブラジャー本体は、ブラカップ１１を有し、マッサージ機関は、ブラジャー本体に結合され、制御ユニット２１を有し、制御ユニットには、電力ユニット２２と連結ユニット２３、マッサージユニット２４及び温度制御ユニット２５が電気接続され、マッサージユニットと温度制御ユニットは、それぞれ、ブラカップに設けられ、操作施設は、連結ユニットに電気接続される。これにより、使用者が、ブラジャー本体を着用し、操作施設で、マッサージ機関を駆動することにより、マッサージ効果と温度制御効果が得られ、胸部に接触して、マッサージや温湿布及び冷湿布を行い、胸部の養護と保養の効能が実現される。【選択図】図１
0003229618.tif 000002
【実用新案登録請求の範囲】
【請求項１】
二つのブラカップを有するブラジャー本体と、
当該ブラジャー本体に結合され、制御ユニットがあり、当該制御ユニットに、電力ユニット、連結ユニット、二つのマッサージユニット及び二つの温度制御ユニットが電気接続され、二つのマッサージユニットと二つの温度制御ユニットとが、それぞれに、ブラカップに設けられる、マッサージ機関と、
当該連結ユニットに電気接続される操作施設と、
が含まれる、ことを特徴とする胸部マッサージャー。
【請求項２】
当該ブラジャー本体は、シリコーン材料である、ことを特徴とする請求項１に記載される胸部マッサージャー。
【請求項３】
当該制御ユニットは、当該電力ユニット、当該連結ユニット、二つのマッサージユニット及び二つの温度制御ユニットのうちの一または複数の作動を制御する中央処理装置である、ことを特徴とする請求項１に記載される胸部マッサージャー。
【請求項４】
当該電力ユニットは、無線充電モジュールか有線充電モジュールであり、当該中央処理装置、当該連結ユニット、二つのマッサージユニットおよび二つの当該温度制御ユニットのうちの一または複数が作動する時の電力を供給する、ことを特徴とする請求項３に記載される胸部マッサージャー。
【請求項５】
当該連結ユニットは、無線方式か有線方式によって当該操作施設に電気接続される、ことを特徴とする請求項１に記載される胸部マッサージャー。
【請求項６】
二つのマッサージユニットは、モーターで、二つのブラカップに対して、マッサージを行う、ことを特徴とする請求項１に記載される胸部マッサージャー。
【請求項７】
二つの温度制御ユニットは、それぞれ、加熱モジュールと冷却モジュールが設けられ、当該加熱モジュールによって、二つのブラカップに対して、熱源を供給し、当該冷却モジュールによって、二つのブラカップに対して、冷却効果を供給する、ことを特徴とする請求項１に記載される胸部マッサージャー。
【請求項８】
当該操作施設は、対応連結制御ユニットと電力ユニット、キーユニット及び表示ユニットが設けられ、当該対応連結制御ユニットが、当該連結ユニットに電気接続されて、当該電力ユニット、当該キーユニット及び当該表示ユニットうちの一または複数の作動を制御し、また、当該電力ユニットが、当該対応連結制御ユニット、当該キーユニット及び当該表示ユニットのうちの一または複数が作動する時の電力を供給し、当該キーユニットを介して、当該制御ユニットで、二つのマッサージユニットの作動を制御し、当該表示ユニットに、当該電力ユニット、二つのマッサージユニット及び二つの温度制御ユニットのうちの一または複数の作動状態が出力される、ことを特徴とする請求項１に記載される胸部マッサージャー。
【考案の詳細な説明】
【技術分野】
【０００１】
本考案は、胸部マッサージャーに関し、特に、胸部の養護と保養を行う胸部マッサージャーを提供する。
【背景技術】
【０００２】
一般として、女性は、ことも生む前やことも生む後、胸部の養護や保養に悩んでいる。
【０００３】
胸部の養護と保養を行う時、普通、直接に、保養製品を塗布するか、手で、直接に、マッサージすることで、行うが、養護と保養の効果が得られなくないだけでなく、不当なマッサージにより、乳腺炎や乳房膿瘍等の厳重合併症が発生する恐れがあり、悪ければ、入院して、外科治療を受けなければならない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、胸部マッサージャーを提供し、使用者が、ブラジャー本体を着用し、操作施設で、マッサージ機関を駆動することにより、マッサージ効果と温度制御効果が得られ、胸部に接触して、マッサージや温湿布及び冷湿布を行い、胸部の養護と保養の効能が実現される。
【課題を解決するための手段】
【０００６】
本考案は、上記の目的を達成するため、胸部マッサージャーを提供し、ブラジャー本体と、マッサージ機関と、操作施設と、が含まれる。当該ブラジャー本体は、二つのブラカップを有し、当該マッサージ機関は、当該ブラジャー本体に結合され、制御ユニットがあり、当該制御ユニットには、電力ユニットや連結ユニット、二つのマッサージユニット及び二つの温度制御ユニットが電気接続され、二つのマッサージユニットと二つの温度制御ユニットとが、それぞれ、二つのブラカップに設けられ、当該操作施設は、当該連結ユニットに電気接続される。
【０００７】
上記の胸部マッサージャーにおいて、当該ブラジャー本体は、シリコーン材料である。
【０００８】
上記の胸部マッサージャーにおいて、当該制御ユニットは、中央処理装置であり、当該電力ユニットや当該連結ユニット、二つのマッサージユニット及び二つの当該温度制御ユニットの作動を制御する。
【０００９】
上記の胸部マッサージャーにおいて、当該電力ユニットは、無線充電モジュールか有線充電モジュールであり、当該中央処理装置や当該連結ユニット、二つのマッサージユニットと二つの当該温度制御ユニットが作動する時の電力を供給する。
【００１０】
上記の胸部マッサージャーにおいて、当該連結ユニットは、無線方式か有線方式によって当該操作施設に電気接続される。
【００１１】
上記の胸部マッサージャーにおいて、二つのマッサージユニットは、モーターで、二つのブラカップに対して、マッサージを行う。
【００１２】
上記の胸部マッサージャーにおいて、二つの温度制御ユニットは、それぞれ、加熱モジュールと冷却モジュールが設けられ、当該加熱モジュールによって、二つのブラカップに対して、熱源を供給し、当該冷却モジュールによって、二つのブラカップに対して、冷却効果を供給する。
【００１３】
上記の胸部マッサージャーにおいて、当該操作施設は、対応連結制御ユニットと電力ユニット、キーユニット及び表示ユニットが設けられ、当該対応連結制御ユニットが、当該連結ユニットに電気接続されて、当該電力ユニットや当該キーユニット及び当該表示ユニットの作動を制御し、また、当該電力ユニットが、当該対応連結制御ユニットや当該キーユニット及び当該表示ユニットが作動する時の電力を供給し、当該キーユニットを介して、当該制御ユニットで、二つのマッサージユニットの作動を制御し、当該表示ユニットに、当該電力ユニットや二つのマッサージユニット及び二つの温度制御ユニットの作動状態が出力される。
【００１４】
以下、図面を参照しながら、本考案の特徴や技術内容について、詳しく説明するが、それらの図面等は、参考や説明のためであり、本考案は、それによって制限されることが無い。
【考案を実施するための形態】
【００１５】
図１と図２は、それぞれ、本考案の外観概念図と本考案のマッサージ機関と操作施設のブロック概念図である。図のように、本考案に係る胸部マッサージャーは、ブラジャー本体１とマッサージ機関２及び操作施設３から構成される。
【００１６】
当該ブラジャー本体１は、二つのブラカップ１１が設けられる。
【００１７】
当該マッサージ機関２は、当該ブラジャー本体１に結合され、制御ユニット２１を有し、当該制御ユニット２１には、電力ユニット２２や連結ユニット２３、二つのマッサージユニット２４及び二つの温度制御ユニット２５が電気接続され、二つのマッサージユニット２４と二つの温度制御ユニット２５は、それぞれ、二つのブラカップ１１に設置される。
【００１８】
当該操作施設３は、当該連結ユニット２３に電気接続される。
【００１９】
本考案のより良い実施例によれば、当該ブラジャー本体１は、シリコーン材料であり、例えば、ヌーブラ（NuBar）やノーマークブラジャー或いは一般タイプのブラジャーである。
【００２０】
本考案によれば、当該ブラジャー本体１の二つのブラカップ１１は、普通のように、使用者の乳房に着用され、そして、当該操作ユニット３で、当該マッサージ機関２の制御ユニット２１を起動すると、当該電力ユニット２２が、必要とする電力を供給して、二つのマッサージユニット２４と、二つの温度制御ユニット２５を駆動して、マッサージ効果と温度制御効果が与えられ、これにより、胸部に接触して、マッサージや温湿布及び冷湿布を行って、胸部に対する養護と保養の効能が実現される。
【００２１】
本考案によれば、二つのマッサージユニット２４により、マッサージ効果が得られ、使用者の胸部の穴道に対して、マッサージを行うため、乳腺の順調や痛めの緩和及び血液の循環の促進等の効能が実現される。
【００２２】
また、それぞれの温度制御ユニット２５は、独自的に作動されることができるし、同時に、二つのマッサージユニット２４が作動されることもでき、そして、二つの温度制御ユニット２５を利用して、温湿布効果が得られるため、使用者が、保養製品を胸部に塗布した後、保養製品が有効的に吸収され、また、痛めの緩和や血液の循環の促進等の効能が実現され、そして、二つの温度制御ユニット２５によって、冷湿布効果が得られ、これにより、乳房の炎症反応を低減でき、痛みや不適の緩和等の効能が得られる。
【００２３】
上記の二つの温度制御ユニット２５は、独自的に温湿布効果か冷湿布効果を起動できるが、温湿布効果と冷湿布効果を、同時に起動することはできない。
【００２４】
本考案のより良い実施例によれば、当該制御ユニット２１は、単チップかロジック回路から構成された中央処理装置であり、当該電力ユニット２２や当該連結ユニット２３、二つのマッサージユニット２４及び二つの温度制御ユニット２５を制御し、当該電力ユニット２２２は、当該制御ユニット２１や当該操作ユニット２３、二つのマッサージユニット２４及び二つの温度制御ユニット２５を作動する時の電力を供給する。これにより、当該操作ユニット３で、当該制御ユニット２１を起動する時、当該電力ユニット２２が、必要とする電力を、当該制御ユニット２１や当該連結ユニット２３、二つのマッサージユニット２４及び二つの温度制御ユニット２５に供給し、二つのマッサージユニット２４と、二つの温度制御ユニット２５とを駆動して、マッサージ効果と温度制御効果が実現され、そのため、胸部に接触して、マッサージや温湿布或いは冷湿布を行い、胸部の養護と保養効能が実現される。
【００２５】
本考案のより良い実施例によれば、当該電力ユニット２２は、無線充電モジュールか有線充電モジュールである。これにより、当該電力ユニット２２の電力が消耗した時、無線充電モジュールか有線充電モジュールで充電できるため、より実用的になる。
【００２６】
本考案のより良い実施例によれば、当該連結ユニット２３は、無線方式か有線方式により、当該操作施設３に電気接続される。これにより、当該操作施設３は、無線方式か有線方式で、当該マッサージ機関２を操作できるため、より実用的になる。
【００２７】
本考案のより良い実施例によれば、二つのマッサージユニット２４は、モーターである。これにより、二つのマッサージユニット２４を利用して、当該接触機構３で、マッサージ効果が発揮され、使用者の胸部の穴道に対して、マッサージを行い、乳腺の順調や痛めの緩和及び血液の循環の促進等の効能が実現される。
【００２８】
本考案のより良い実施例によれば、二つの温度制御ユニット２５は、それぞれ、加熱モジュール２５１と冷却モジュール２５２とを有し、当該加熱モジュール２５１によって、二つのブラカップ１１に対して、熱源を提供し、当該冷却モジュール２５２によって、二つのブラカップ１１に対して、冷却効果が実現される。これにより、当該加熱モジュール２５１によって、温湿布効果が得られるため、使用者が、保養製品を胸部に塗布した後、保養製品が有効的に吸収され、また、痛めの緩和や血液の循環の促進等の効能が実現され、また、当該冷却モジュール２５２によって、冷湿布効果が得られ、これにより、乳房の炎症反応を低減でき、痛みや不適の緩和等の効能が得られる。
【００２９】
本考案のより良い実施例によれば、当該操作施設３は、対応連結制御ユニット３１と電力ユニット３２、キーユニット３３及び表示ユニット３４を有し、当該対応連結制御ユニット３１が、当該連結ユニット２３に電気接続され、当該対応連結制御ユニット３１が、当該電力ユニット３２と当該キーユニット３３及び当該表示ユニット３４の作動を制御し、当該電力ユニット３２が、当該対応連結制御ユニット３１と当該キーユニット３３及び当該表示ユニット３４が作動する時の電力を供給し、当該キーユニット３３は、当該制御ユニット２１に合わせて、二つのマッサージユニット２４の作動を制御し、当該表示ユニット３４には、当該電力ユニット２２、３２と二つのマッサージユニット２４及び二つの温度制御ユニット２５の作動状態が出力される。これにより、当該対応連結制御ユニット３１は、無線方式か有線方式で、当該連結ユニット２３に電気接続され、当該キーユニット３３が当該制御ユニット２１を起動することにより、二つのマッサージユニット２４と二つの温度制御ユニット２５を駆動して、マッサージ効果と温度制御効果が得られ、そのため、胸部に接触して、マッサージや温湿布或いは冷湿布を行い、胸部の養護と保養効能が実現され、また、当該表示ユニット３４には、当該電力ユニット２２、３２の残余電力や二つのマッサージユニット２４及び二つの温度制御ユニット２５の作動状態が出力されて、より実用的になる。
【００３０】
以上のように、本考案に係る胸部マッサージャーは、有効的に従来の諸欠点を解消でき、使用者が、ブラジャー本体を着用して、操作施設でマッサージ機関を駆動すると、マッサージ効果と温度制御効果が得られ、そのため、胸部に接触して、マッサージや温湿布或いは冷湿布を行い、胸部の養護と保養効能が実現され、故に、本考案は、より進歩的かつより実用的で、法に従って実用新案登録請求を出願する。
【００３１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３２】
【図１】本考案の外観概念図である。
【図２】本考案に係るマッサージ機関と操作施設のブロック概念図である。
【符号の説明】
【００３３】
１  ブラジャー本体
１１  ブラカップ
２  マッサージ機関
２１  制御ユニット
２２  電力ユニット
２３  連結ユニット
２４  マッサージユニット
２５  温度制御ユニット
２５１  加熱モジュール
２５２  冷却モジュール
３  操作施設
３１  対応連結制御ユニット
３２  電力ユニット
３３  キーユニット
３４  表示ユニット
【図１】
0003229618.tif 000003
【図２】
0003229618.tif 000004